(57)【要約】【課題】様々な植物を任意の配置で栽培することが可能で、根菜類の栽培に際しては、ヒゲ根のみが培養液に浸漬するように調整することが容易な水耕栽培装置及び栽培ポットを提供する。【解決手段】水耕栽培装置１は、植物Ｐを保持する栽培ポット（保持体）１２と、栽培ポット１２の下部に配置され、植物Ｐの育成に用いる液体を貯留可能な液槽１１と、液槽１１上に栽培ポット１２を保持する苗床（支持部材）１３とを備えている。苗床１３は、植物Ｐを挿入可能な挿入孔１３０を有し、挿入孔１３０の底部に多孔状をなす底板１３２を有している。栽培ポット１２は、下部の開口を苗床１３の挿入孔１３０に対抗させて苗床１３上に載置可能である。【選択図】図１１
2017108723.tif 000002
【特許請求の範囲】
【請求項１】
植物を保持する保持体と、前記保持体の下部に配置され、植物の育成に用いる液体を貯留可能な液槽と、前記液槽上に植物を支持する支持部材とを備える水耕栽培装置であって、
前記支持部材は、植物を挿入可能な挿入孔を有し、
前記挿入孔の底部に、挿入された植物を載置可能で、多孔状をなす底板を有し、
前記保持体は、支持部材の上側に位置するように取り付け可能である
ことを特徴とする水耕栽培装置。
【請求項２】
植物を保持する保持体と、前記保持体の下部に配置され、植物の育成に用いる液体を貯留可能な液槽と、前記液槽上に前記保持体を支持する支持部材とを備える水耕栽培装置であって、
前記保持体は、
上部及び下部が開口し、側壁の内側に植物を収容する筒状をなし、
前記支持部材は、
植物を挿入可能な挿入孔を有し、
前記挿入孔の底部に、多孔状をなす底板を有し、
前記保持体は、下部の開口を前記支持部材の底板に対向させて前記支持部材に載置可能である
ことを特徴とする水耕栽培装置。
【請求項３】
植物を保持する保持体と、前記保持体の下部に配置され、植物の育成に用いる液体を貯留可能な液槽と、前記液槽上に前記保持体を支持する支持部材とを備える水耕栽培装置であって、
前記支持部材は、
底部が開口した挿入孔を有し、
前記保持体は、
上部が開口し、側壁の内側に植物を収容する筒状をなし、
底部に、多孔状をなす底板を有し、
前記支持部材の挿入孔に挿入可能である
ことを特徴とする水耕栽培装置。
【請求項４】
請求項２又は請求項３に記載の水耕栽培装置であって、
前記保持体は、側壁の内側に、植物の育成に用いる複数種の培地を積層して保持している
ことを特徴とする水耕栽培装置。
【請求項５】
請求項１乃至請求項４のいずれか１項に記載の水耕栽培装置であって、
前記支持部材は、
上部の開口位置から液面までの高さが異なる複数の挿入孔を有する
ことを特徴とする水耕栽培装置。
【請求項６】
請求項１乃至請求項５のいずれか１項に記載の水耕栽培装置であって、
植物の育成に用いる成分を含み、前記底板上に保持される培地を備え、
前記培地は、前記底板の孔を通り抜けて液槽側へ延伸される垂下部を有する
ことを特徴とする水耕栽培装置。
【請求項７】
請求項１乃至請求項６のいずれか１項に記載の水耕栽培装置であって、
前記保持体又は支持部材は、光を照射する光源を取付可能である
ことを特徴とする水耕栽培装置。
【請求項８】
上部が開口し、側壁の内側に植物を収容する筒状をなす栽培ポットであって、
底部に、多孔状をなし、収容した植物が載置される底板を備える
ことを特徴とする栽培ポット。
【発明の詳細な説明】
【技術分野】
【０００１】
植物を保持する保持体と、保持体の下部に配置され、植物の育成に用いる液体を貯留可能な液槽と、液槽上に前記保持体を支持する支持部材とを備える水耕栽培装置、及びそのような水耕栽培装置にて用いられる栽培ポットに関する。
【背景技術】
【０００２】
一般家庭内で手軽に新鮮な野菜の収穫ができ、インテリアとしても活用することができる色々な家庭用水耕栽培装置が注目されている。また、飲食店では、調理カウンターに水耕栽培装置を置き、新鮮な野菜を客の目の前で摘んで調理して客に振る舞っている。更に、小売店では、店内に水耕栽培装置を設置して、集客、ディスプレイ、客とのコミュニケーションツール等の目的で導入されることも珍しくなくなってきている。
【０００３】
このような背景のもと水耕栽培装置の更なる楽しみ方の提案が望まれている。例えば、コマツナ、ホウレンソウ、レタス等の葉菜類と、カブ、ダイコン等の根菜類と、ピーマン、ナス、トマト等の果菜類といった複数の品種を一緒に育てるということもその一つである。また、栽培途中から、異なる品種の野菜を育てたり、更には、異なる品種の野菜を所望の位置に植えて、思い通りのレイアウトで野菜を育てたい等の要望もある。
【０００４】
根菜類を栽培することができる水耕栽培装置として、特許文献１には、簡単な構造で、適正で均一な大きさ及び形状を有する根菜類等の植物を栽培することを目的とした水耕栽培装置が記載されている。特許文献１に開示されている水耕栽培装置は、培養液が貯留された水槽と、根菜類を収容した栽培筒を、水槽に貯留された培養液上で支持する支持板とを備えている。そして、栽培筒の下縁から延出したヒゲ根のみが浸かるように、ポンプで培養液を送水して、培養液の量をコントロールするようになっている。特許文献１に開示されているように、根菜類は、下方に貯留された培養液に肥大する部分が浸からず、ヒゲ根のみが浸かるよう培養液の量を調整しなければならない。
【先行技術文献】
【特許文献】
【０００５】
【特許文献１】特開２０１４−１８１１０号公報
【発明の概要】
【発明が解決しようとする課題】
【０００６】
しかしながら、特許文献１に開示された水耕栽培装置は、液量の調整には装置が大掛かりになり、家庭用水耕栽培装置には向かないという問題がある。
【０００７】
本発明は斯かる事情に鑑みてなされたものであり、保持体にて保持した植物が、多孔状をなす底板の上に位置するように配置することにより、ヒゲ根が底板を通り抜け、ヒゲ根のみが培養液に浸漬するように調整することが容易な水耕栽培装置の提供を目的とする。
【０００８】
また、本発明は、本発明に係る水耕栽培装置にて用いられる栽培ポットの提供を他の目的とする。
【課題を解決するための手段】
【０００９】
上記課題を解決するために、本願記載の水耕栽培装置は、植物を保持する保持体と、前記保持体の下部に配置され、植物の育成に用いる液体を貯留可能な液槽と、前記液槽上に植物を支持する支持部材とを備える水耕栽培装置であって、前記支持部材は、植物を挿入可能な挿入孔を有し、前記挿入孔の底部に、挿入された植物を載置可能で、多孔状をなす底板を有し、前記支持部材は、保持体を上側に位置するように取り付け可能であることを特徴とする。
【００１０】
また、本願記載の水耕栽培装置は、植物を保持する保持体と、前記保持体の下部に配置され、植物の育成に用いる液体を貯留可能な液槽と、前記液槽上に前記保持体を支持する支持部材とを備える水耕栽培装置であって、前記保持体は、上部及び下部が開口し、側壁の内側に植物を収容する筒状をなし、前記支持部材は、植物を挿入可能な挿入孔を有し、前記挿入孔の底部に、多孔状をなす底板を有し、前記保持体は、下部の開口を前記支持部材の底板に対向させて前記支持部材に載置可能であることを特徴とする。
【００１１】
また、本願記載の水耕栽培装置は、植物を保持する保持体と、前記保持体の下部に配置され、植物の育成に用いる液体を貯留可能な液槽と、前記液槽上に前記保持体を支持する支持部材とを備える水耕栽培装置であって、前記支持部材は、底部が開口した挿入孔を有し、前記保持体は、上部が開口し、側壁の内側に植物を収容する筒状をなし、底部に、多孔状をなす底板を有し、前記支持部材の挿入孔に挿入可能であることを特徴とする。
【００１２】
また、本願記載の水耕栽培装置は、前記保持体は、側壁の内側に、植物の育成に用いる複数種の培地を積層して保持していることを特徴とする。
【００１３】
また、本願記載の水耕栽培装置は、前記支持部材は、上部の開口位置から液面までの高さが異なる複数の挿入孔を有することを特徴とする。
【００１４】
また、本願記載の水耕栽培装置は、前記培地は、前記底板の孔を通り抜けて液槽側へ延伸される垂下部を有することを特徴とする。
【００１５】
また、本願記載の水耕栽培装置は、前記保持体又は支持部材は、光を照射する光源を取付可能であることを特徴とする。
【００１６】
さらに、本願記載の栽培ポットは、上部が開口し、側壁の内側に植物を収容する筒状をなす栽培ポットであって、底部に、多孔状をなし、収容した植物が載置される底板を備えることを特徴とする。
【００１７】
本願記載の水耕栽培装置及び栽培ポットは、ヒゲ根のみが通り抜け可能な底板を用いることにより、容易にヒゲ根のみを液槽に浸からせることができる。
【発明の効果】
【００１８】
本発明に係る水耕栽培装置は、植物を保持する保持体と、保持体の下部に配置され、植物の育成に用いる液体を貯留可能な液槽と、液槽上に保持体を支持する支持部材とを備えている。そして、保持体に保持された植物は、多孔状をなす底板の上に位置するように配置される。また、本発明に係る栽培ポットは、水耕栽培装置にて用いられる保持体として用いることができる。これにより、水耕栽培装置等は、保持体に保持された植物が、ヒゲ根等の細い部位のみが底板を通過して液体に達するように調整することが容易である等、優れた効果を奏する。
【図面の簡単な説明】
【００１９】
【図１】本願記載の第１の実施形態に係る水耕栽培装置の外観の一例を示す斜視図である。
【図２】本願記載の第１の実施形態に係る水耕栽培装置の一例を概略的に示す模式図である。
【図３】本願記載の第１の実施形態に係る水耕栽培装置が備える苗床の外観の一例を示す概略斜視図である。
【図４】本願記載の第１の実施形態に係る水耕栽培装置が備える苗床の外観の一例を示す概略斜視図である。
【図５】本願記載の第１の実施形態に係る水耕栽培装置が備える苗床の外観の一例を示す概略斜視図である。
【図６】本願記載の第１の実施形態に係る水耕栽培装置が備える苗床の付属品の外観の一例を示す概略斜視図である。
【図７】本願記載の第１の実施形態に係る水耕栽培装置が備える栽培ポットの外観の一例を示す概略斜視図である。
【図８】本願記載の第１の実施形態に係る水耕栽培装置が備える栽培ポットの外観の一例を示す概略斜視図である。
【図９】本願記載の第１の実施形態に係る水耕栽培装置が備える栽培ポットの外観の一例を示す概略平面図である。
【図１０】本願記載の第１の実施形態に係る水耕栽培装置が備える栽培ポットの外観の一例を示す概略斜視図である。
【図１１】本願記載の第１の実施形態に係る水耕栽培装置の一部の例を概略的に示す断面図である。
【図１２】本願記載の第２の実施形態に係る水耕栽培装置が備える苗床の外観の一例を示す概略斜視図である。
【図１３】本願記載の第２の実施形態に係る水耕栽培装置が備える栽培ポットの外観の一例を示す概略斜視図である。
【図１４】本願記載の第２の実施形態に係る水耕栽培装置が備える栽培ポットの外観の一例を示す概略斜視図である。
【図１５】本願記載の第２の実施形態に係る水耕栽培装置の外観の一例を示す概略斜視図である。
【図１６】本願記載の第２の実施形態に係る水耕栽培装置の外観の一例を示す概略底面図である。
【図１７】本願記載の第２の実施形態に係る水耕栽培装置が備える苗床の外観の一例を示す概略平面図である。
【図１８】本願記載の第２の実施形態に係る水耕栽培装置が備える栽培ポットの外観の一例を示す概略斜視図である。
【図１９】本願記載の第２の実施形態に係る水耕栽培装置の一部の例を概略的に示す断面図である。
【図２０】本願記載の第３の実施形態に係る水耕栽培装置の一部の例を概略的に示す断面図である。
【図２１】本願記載の第４の実施形態に係る水耕栽培装置が備える栽培ポットの断面の例を示す概略断面図である。
【図２２】本願記載の第４の実施形態に係る水耕栽培装置が備える栽培ポットの断面の例を示す概略断面図である。
【図２３】本願記載の第４の実施形態に係る水耕栽培装置が備える栽培ポットの断面の例を示す概略断面図である。
【図２４】本願記載の第４の実施形態に係る水耕栽培装置が備える栽培ポットの断面の例を示す概略断面図である。
【図２５】本願記載の第４の実施形態に係る水耕栽培装置が備える栽培ポットに収容される培地の積層構造の例を示す模式図である。
【図２６】本願記載の第５の実施形態に係る水耕栽培装置が備える栽培ポットの外観の一例を示す概略斜視図である。
【図２７】本願記載の第５の実施形態に係る水耕栽培装置が備える栽培ポットの外観の一例を示す概略斜視図である。
【図２８】本願記載の第５の実施形態に係る水耕栽培装置が備える栽培ポットの外観の一例を示す概略斜視図である。
【図２９】本願記載の第５の実施形態に係る水耕栽培装置が備える栽培ポットの外観の一例を示す概略平面図である。
【図３０】本願記載の第５の実施形態に係る水耕栽培装置が備える栽培ポットの断面の一部の例を示す概略断面図である。
【図３１】本願記載の第５の実施形態に係る水耕栽培装置が備える栽培ポットの外観の一例を示す概略斜視図である。
【図３２】本願記載の第５の実施形態に係る水耕栽培装置が備える栽培ポットの外観の一例を示す概略平面図である。
【図３３】本願記載の第５の実施形態に係る水耕栽培装置が備える栽培ポットの一部の例を拡大して示す一部拡大図である。
【図３４】本願記載の第５の実施形態に係る水耕栽培装置の一例を概略的に示す模式図である。
【図３５】本願記載の第６の実施形態に係る水耕栽培装置の一部の例を概略的に示す断面図である。
【図３６】本願記載の第６の実施形態に係る水耕栽培装置の一部の例を概略的に示す断面図である。
【図３７】本願記載の第６の実施形態に係る水耕栽培装置が備える培地及び苗床の外観の例を示す模式図である。
【図３８】本願記載の第６の実施形態に係る水耕栽培装置の一部の例を示す概略平面図である。
【発明を実施するための形態】
【００２０】
以下、本発明の実施形態について図面を参照しながら説明する。なお、以下の実施形態は、本発明を具現化した一例であって、本発明の技術的範囲を限定する性格のものではない。
【００２１】
＜第１の実施形態＞
図１は、本願記載の第１の実施形態に係る水耕栽培装置１の外観の一例を示す斜視図である。図１に例示した水耕栽培装置１は、使用者が根菜類等の植物Ｐ（図２等参照）を育成するための装置であり、使用者は水耕栽培装置１にて育成される植物Ｐを外部から観察することができる。図１に例示した水耕栽培装置１は、直方体状をなす本体容器１０を備え、本体容器１０の前面及び側壁面の一部は、本体容器１０の内部を視認可能なアクリル樹脂等の透明な素材で形成され、観察部１００となっている。
【００２２】
本体容器１０の前面は、開閉可能な扉部１０１となっている。扉部１０１は、本体容器１０の前面と各辺が平行な長方形状をなしており、扉部１０１の下辺は、２カ所に設けられたヒンジ部１０２により、本体容器１０に取り付けられており、上辺には、開閉時に把持する把手部１０３が設けられている。そして、使用者は、把手部１０３を把持して手前側へ弧を描くように引くことにより、扉部１０１は、ヒンジ部１０２を揺動軸とした揺動により手前側に開かれる。扉部１０１を開くことにより、使用者は、植物Ｐの設置、植物Ｐの収穫、内部のメンテナンス等の様々な操作を行うことができる。
【００２３】
本体容器１０の前面において、扉部１０１の上方には、マンマシンインターフェースとなる操作部、表示部、音声出力部等の入出力部１０４が配設されている。入出力部１０４のうち入力機能を備える操作部は、使用者の操作を受け付けるボタン型スイッチ等の部材を用いて構成されている。入出力部１０４のうち出力機能を備える表示部及び音声出力部は、光、画像、音声等により使用者に様々な情報を報知する機能を有する。
【００２４】
図２は、本願記載の第１の実施形態に係る水耕栽培装置１の一例を概略的に示す模式図である。図２は、水耕栽培装置１の本体容器１０内を正面から示す模式図である。本体容器１０の内底部には、液体を貯留することが可能な溶液ケースとして液槽１１が配設されており、液槽１１には、植物Ｐの育成に必要な各種養分及び水分を含む培養液Ｌ等の液体（図１１等参照）が貯留されている。植物Ｐは、筒状をなす栽培ポット（保持体）１２内に保持された状態で、苗床（支持部材）１３上に載置されており、苗床１３に載置されることにより、液槽１１上に支持される。なお、植物Ｐの種類及び育成方法によっては、各種養分を含まない水分のみの液体を用いるようにしても良い。
【００２５】
本体容器１０内の天井部には、ＬＥＤ等の光源を用いた照明部１０５が配設されており、照明部１０５は、本体容器１０内に収容された苗床１３に支持されている栽培ポット１２に保持された植物Ｐに対して光を照射することができる。
【００２６】
また、本体容器１０内には、本体容器１０内の気相の温度を調整する温度調整部及び温度計、液槽１１に貯留された培養液Ｌの温度を調整する温度調整部及び液温計、本体容器１０内を換気する通気口及び通気ファン、培養液Ｌに空気を供給するポンプ及び通風機構等の様々な図示しない機構が配設されている。更に、水耕栽培装置１は、本体容器１０の電気負荷全体を制御する図示しない制御部を備えており、制御部は、ＡＣアダプタを介して家庭用交流電源に接続可能である。
【００２７】
図３は、本願記載の第１の実施形態に係る水耕栽培装置１が備える苗床１３の外観の一例を示す概略斜視図である。苗床１３は、平面視長方形状をなし、後述する培地１２０（図１１等参照）等をそれぞれ挿入可能な複数の挿入孔１３０が凹設されている。このような苗床１３は、例えば、樹脂等の材料を射出成形等の加工方法にて成形することにより形成される。図３では、苗床１３の長辺方向及び短辺方向に沿って配列された８×３列の２４個の挿入孔１３０が凹設された苗床１３を例示している。また、苗床１３において、各挿入孔１３０の周囲には、栽培ポット１２を係止するための一対の係止部１３１が設けられている。
【００２８】
苗床１３に凹設された挿入孔１３０は、円筒状をなし、底部には多孔状をなす底板１３２を有している。図３では、多孔状をなす底板１３２として、網状の底板１３２を示しているが、ヒゲ根を通過させることが可能な多孔状の底板１３２であれば格子状であっても良い。更には、丸形、楕円、長円、十字形、三角形、菱形、長方形、ハニカム、その他の多角形状等の形状のパンチング孔等の孔を複数備える多孔板状の底板１３２を用いるようにしても良い。即ち、多孔状をなす底板１３２としては、ヒゲ根を挿通可能な孔を複数有していれば、様々な板状体を用いることが可能である。
【００２９】
図４及び図５は、本願記載の第１の実施形態に係る水耕栽培装置１が備える苗床１３の外観の一例を示す概略斜視図である。また、図６は、本願記載の第１の実施形態に係る水耕栽培装置１が備える苗床１３の付属品の外観の一例を示す概略斜視図である。図４は、苗床１３本体の表面を示しており、図５は、苗床１３本体の裏面を示している。また、図６は、苗床１３本体に取付可能な底板１３２を示している。図３に例示した苗床１３は、底板１３２が一体化されているが、図４、図５及び図６に示すように苗床１３本体と、苗床１３本体に取付可能な底板１３２とが別体として形成されていても良い。
【００３０】
図４及び図５に例示する苗床１３本体は、平板状に形成されており、板面の表裏を貫通する挿入孔１３０が穿設されている。苗床１３本体の裏面には、帯状をなす面ファスナーのフック部１３ａが、挿入孔１３０の長手方向の列に沿って列の間と、縁部の内側とに貼着されている。図６に例示する底板１３２は、網部１３２ａに、帯状をなす面ファスナーのループ部１３ｂを貼着して形成されている。ループ部１３ｂは、苗床１３本体の裏面に貼着された面ファスナーのフック部１３ａの位置に対応する位置に貼着されている。そして、面ファスナーのフック部１３ａ及びループ部１３ｂにより、網部１３２ａは、苗床１３本体の裏面に貼り付けることが可能であり、また、貼り付けた網部１３２ａを苗床１３本体から取り外すことも可能である。
【００３１】
栽培ポット１２について説明する。図７及び図８は、本願記載の第１の実施形態に係る水耕栽培装置１が備える栽培ポット１２の外観の一例を示す概略斜視図であり、図９は、本願記載の第１の実施形態に係る水耕栽培装置１が備える栽培ポット１２の外観の一例を示す概略平面図である。図７は、栽培ポット１２を斜め上方からの視点で示しており、図８は、栽培ポット１２を斜め下方からの視点で示している。また、図９は、苗床１３に載置して固定した状態の栽培ポット１２を上方からの視点で示している。
【００３２】
図７、図８及び図９に示す栽培ポット１２は、上部及び下部が開口し、側壁の内側に植物Ｐを収容可能な円筒状をなしており、下端近傍に側壁の外周を周回するフランジ部１２１が設けられている。フランジ部１２１は、扁平な環状をなし、外縁のそれぞれ反対側となる方向に一対の係止片１２２がそれぞれ突設されている。一対の係止片１２２は、栽培ポット１２を苗床１３に載置した場合に、苗床１３に設けられた係止部１３１に係合する様に構成されており、苗床１３の係止部１３１に栽培ポット１２の係止片１２２を係合させることにより、栽培ポット１２を苗床１３上に固定することができる。図９は、栽培ポット１２の係止片１２２を苗床１３の係止部１３１に係合させた状態を示しており、栽培ポット１２を、下部の開口が苗床１３の挿入孔１３０に対向するようにして載置し、載置した栽培ポット１２を、周方向に回転させることにより、係止片１２２が係止部１３１に係合し、栽培ポット１２が苗床１３上に固定される。
【００３３】
栽培ポット１２において、フランジ部１２１より上側は、苗床１３に載置された場合に苗床１３より上側に位置し、植物Ｐ、特に根菜類の根の肥大する部分を保持する保持部１２３となっている。また、栽培ポット１２の保持部１２３の側壁には、上端から下方へと軸方向に延びる切れ目が設けられており、植物Ｐの肥大に伴い側壁が拡開するように形成されている。
【００３４】
図１０は、本願記載の第１の実施形態に係る水耕栽培装置１が備える栽培ポット１２の外観の一例を示す概略斜視図である。図１０は、栽培ポット１２を斜め上方からの視点で示している。図１０に示す栽培ポット１２は、保持部１２３の下方から上端にかけて内径が漸次拡開した、所謂お椀型の形状をなしている。図７乃至図９に例示したように内径が略一定の栽培ポット１２は、ニンジン、ダイコン等の比較的縦長の形状の根菜類の栽培に適しており、図１０に例示したお椀型の栽培ポット１２は、カブ等の球状の根菜類の栽培に適している。なお、栽培ポット１２の形状は、栽培する植物Ｐの形状に応じて中央部の内径が大きい樽型等の様々な形状に形成することが可能である。図１０に例示するお椀型の栽培ポット１２においても、フランジ部１２１及び係止片１２２が設けられ、保持部１２３には、側壁の上端から下方へと延びる切れ目が設けられている。なお、栽培ポット１２のフランジ部１２１の形状は、保持部１２３の形状に関わらず同一の形状となっており、苗床１３に凹設された挿入孔１３０に対向するようにして様々な保持部１２３の栽培ポット１２を載置することが可能である。従って、使用者は、栽培ポット１２及び栽培ポット１２にて育成する植物Ｐのレイアウトを自由に決定することができる。
【００３５】
図１１は、本願記載の第１の実施形態に係る水耕栽培装置１の一部の例を概略的に示す断面図である。図１１は、正面からの視点で水耕栽培装置１の一部の断面を示している。苗床１３に凹設された挿入孔１３０には、植物Ｐの育成に必要な成分を含む培地１２０が挿入される。培地１２０は、例えば、吸水性、保水性等の特性に優れたロックウール等の材料で形成される。液槽１１内に貯留される培養液Ｌの液面は、挿入孔１３０の底部に設けられた底板１３２の位置と同程度とし、植物Ｐのヒゲ根のみが培養液Ｌに浸漬した状態で栽培することが望ましい。なお、培地１２０に播種すると、培地１２０に吸水された培養液Ｌ（養分）は、種子に供給され、そして、種子が発芽した場合、発芽した苗のヒゲ根は、底板１３２の孔を通過して培養液Ｌが貯留された液槽１１の方へと成長し、液槽１１内の培養液Ｌに浸漬する。このような場合において、培地１２０が、ある程度浸漬させないと吸水し難い軟質ウレタンフォーム等の材質で形成されているとき、液槽１１内に貯留される培養液Ｌの液面は、挿入孔１３０に挿入した培地１２０が少し浸漬する程度の位置にしておくことが好ましい。
【００３６】
＜第２の実施形態＞
第２の実施形態は、第１の実施形態において、栽培ポット１２側に底板を設ける形態である。なお、以降の説明において、第１の実施形態と同様の構成については、第１の実施形態と同様の符号を付し、第１の実施形態を参照するものとし、詳細な説明を省略する。
【００３７】
図１２は、本願記載の第２の実施形態に係る水耕栽培装置１が備える苗床１３の外観の一例を示す概略斜視図である。苗床１３は、平面視長方形状をなし、複数の挿入孔１３０が凹設されている。苗床１３に凹設された挿入孔１３０は、円筒状をなす貫通孔として形成されている。
【００３８】
栽培ポット１２について説明する。図１３及び図１４は、本願記載の第２の実施形態に係る水耕栽培装置１が備える栽培ポット１２の外観の一例を示す概略斜視図である。図１３は、栽培ポット１２を斜め上方からの視点で示しており、図１４は、栽培ポット１２を斜め下方からの視点で示している。図１３及び図１４に示す栽培ポット１２は、上部及び下部が開口し、側壁の内側に植物Ｐを収容可能な円筒状をなしており、下端から１／３程度の位置に側壁の外周を周回する環状のフランジ部１２１が設けられている。
【００３９】
栽培ポット１２において、フランジ部１２１より下側は、苗床１３に凹設された挿入孔１３０に挿嵌される脚部１２４となっており、フランジ部１２１より上側は、苗床１３に載置された場合に苗床１３より上側に位置し、植物Ｐ、特に根菜類の根の肥大する部分を保持する保持部１２３となっている。即ち、栽培ポット１２は、苗床１３より下方に延設された脚部１２４を有しており、脚部１２４を挿入孔１３０に挿嵌することにより、栽培ポット１２は、苗床１３上に載置された状態で固定される。なお、脚部１２４を挿入孔１３０に挿嵌することにより、苗床１３上に載置可能であるため、栽培ポット１２の係止片１２２及び苗床１３の係止部１３１は、必ずしも必要ではない。また、栽培ポット１２の保持部１２３の側壁には、上端から下方へと軸方向に延びる切れ目が設けられており、植物Ｐの肥大に伴い側壁が拡開するように形成されている。
【００４０】
栽培ポット１２の下部となる脚部１２４は、苗床１３の挿入孔１３０に挿嵌可能な円筒状をなし、底部には多孔状をなす底板１２５を有している。図１４では、多孔状をなす底板１２５として、網状の底板１２５を示しているが、ヒゲ根を通過させることが可能な多孔状の底板１２５であれば格子状であっても良い。更には、丸形、楕円、長円、十字形、三角形、菱形、長方形、ハニカム、その他の多角形状等の形状のパンチング孔等の孔を複数備える多孔板状の底板１２５を用いるようにしても良い。即ち、多孔状をなす底板１２５としては、ヒゲ根を挿通可能な孔を複数有していれば、様々な板状体を用いることが可能である。
【００４１】
図１５は、本願記載の第２の実施形態に係る水耕栽培装置１が備える栽培ポット１２の外観の一例を示す概略斜視図であり、図１６は、本願記載の第２の実施形態に係る水耕栽培装置１が備える栽培ポット１２の外観の一例を示す概略底面図である。また、図１７は、本願記載の第２の実施形態に係る水耕栽培装置１が備える栽培ポット１２の付属品の外観の一例を示す概略底面図である。図１５は、栽培ポット１２本体を斜め上方の視点で示している。図１６（ａ）は、栽培ポット１２本体を下方からの視点で示しており、図１６（ｂ）は、栽培ポット１２の一部を拡大して示している。また、図１７は、栽培ポット１２本体に取付可能な底板１２５を示している。図１３及び図１４に例示した栽培ポット１２は、底板１２５が一体化されているが、図１５、図１６及び図１７に示すように、栽培ポット１２本体と、栽培ポット１２本体に取付可能な底板１２５とが別体として構成されていても良い。
【００４２】
図１５及び図１６に例示する栽培ポット１２本体は、脚部１２４の外周部に凹部が４ヶ所等間隔に凹設されており、各凹部には係止突起１２４ａがそれぞれ突設されている。また、図１７に例示する底板１２５は、円板状をなす網部１２５ａの周縁部に係止帯１２５ｂが４ヶ所等間隔に固定されている。係止帯１２５ｂは、帯状をなし、一端が網部１２５ａの周縁に固定されており、他端近傍には、係止突起１２４ａを挿通させることが可能な孔が開設されている。そして、栽培ポット１２本体の下側に、底板１２５の網部１２５ａを当接させ、栽培ポット１２本体の４ヶ所の係止突起１２４ａに、それぞれ底板１２５の係止帯１２５ｂの孔を挿通させることにより、係止帯１２５ｂが係止突起１２４ａに係止される。係止帯１２５ｂが係止突起１２４ａに係止されることにより、底板１２５は、栽培ポット１２本体の脚部１２４の下部に取り付けることが可能であり、また、取り付けた底板１２５を栽培ポット１２本体から取り外すことも可能である。
【００４３】
図１８は、本願記載の第２の実施形態に係る水耕栽培装置１が備える栽培ポット１２の外観の一例を示す概略斜視図である。図１８は、栽培ポット１２を斜め上方の視点で示している。図１８に示す栽培ポット１２は、保持部１２３の下方から上端にかけて内径が漸次拡開した、所謂お椀型の形状をなしている。図１３及び図１４に例示したように内径が略一定の栽培ポット１２は、比較的縦長の形状の根菜類の栽培に適しており、図１８に例示したお椀型の栽培ポット１２は、球状の根菜類の栽培に適している。なお、栽培ポット１２の形状は、栽培する植物Ｐの形状に応じて中央部の内径が大きい樽型等の様々な形状に形成することが可能である。図１８に例示するお椀型の栽培ポット１２においても、フランジ部１２１が設けられ、フランジ部１２１より下部には、挿入孔１３０に挿嵌される脚部１２４を有し、保持部１２３には、側壁の上端から下方へと延びる切れ目が設けられている。なお、栽培ポット１２のフランジ部１２１及び脚部１２４の形状は、保持部１２３の形状に関わらず同一の形状となっており、苗床１３に凹設された挿入孔１３０に脚部１２４を挿嵌するようにして様々な保持部１２３の栽培ポット１２を載置することが可能である。従って、使用者は、栽培ポット１２及び栽培ポット１２にて育成する植物Ｐのレイアウトを自由に決定することができる。
【００４４】
図１９は、本願記載の第２の実施形態に係る水耕栽培装置１の一部の例を概略的に示す断面図である。図１９は、正面からの視点で水耕栽培装置１の一部の断面を示している。苗床１３に凹設された挿入孔１３０の内径は、栽培ポット１２の脚部１２４の外径より若干大きく、栽培ポット１２は苗床１３の挿入孔１３０内に挿嵌される。フランジ部１２１の外径は、苗床１３の挿入孔１３０より大きいため、栽培ポット１２を、苗床１３の挿入孔１３０に挿嵌した場合、フランジ部１２１の下面が苗床１３の上面に当接した状態で、栽培ポット１２は苗床１３上に載置される。また、栽培ポット１２の内側下部には、植物Ｐの育成に必要な培地１２０が載置される。液槽１１内に貯留される培養液Ｌの液面は、栽培ポット１２の底部に設けられた底板１２５の位置と同程度とし、植物Ｐのヒゲ根のみが培養液Ｌに浸漬される状態で栽培することが望ましい。なお、図１９では、苗床１３の挿入孔１３０の下端が、栽培ポット１２の脚部１２４の下端より下方に位置し、栽培ポット１２の底板１２５が苗床１３の挿入孔１３０に対向するように挿入された形態を示している。ただし、苗床１３の挿入孔１３０の下端と栽培ポット１２の脚部１２４の下端とが略同じ位置にあっても良く、また、栽培ポット１２の脚部１２４の下端が下方に位置しても良い。さらに、苗床１３は、平板状に形成し、板面の表裏を貫通する挿入孔１３０を穿設するようにしても良い。
【００４５】
＜第３の実施形態＞
第３の実施形態は、第１の実施形態において、載置面の高さが一定ではない苗床１３を用いる形態である。なお、以降の説明において、第１の実施形態と同様の構成については、第１の実施形態と同様の符号を付し、第１の実施形態を参照するものとし、詳細な説明を省略する。
【００４６】
図２０は、本願記載の第３の実施形態に係る水耕栽培装置１の一部の例を概略的に示す断面図である。図２０は、左側面からの視点で水耕栽培装置１の一部の断面を示している。第３の実施形態に係る水耕栽培装置１の苗床１３は、上面が階段状になるように形成されている。即ち、第３の実施形態に係る水耕栽培装置１の苗床１３は、上部の開口位置から培養液Ｌの液面までの高さが異なる複数の挿入孔１３０を有している。高さが異なる挿入孔１３０を配設することにより、種類の違う様々な植物Ｐを同時に栽培することが可能であり、また、植物Ｐの高さに応じて、配置のレイアウトを決定することも可能である。なお、ここでは、水耕栽培装置１の苗床１３の上面の高さについて、前方が低く、後方が高い二段になっている形態を示したが、三段以上になっていても良く、また左右で段を付ける等、様々な形態に展開することが可能である。
【００４７】
＜第４の実施形態＞
第４の実施形態以降は、栽培ポット１２等について詳述する。第４の実施形態としては、栽培ポット１２に設けられた切れ目及び培地１２０について説明する。なお、以降の説明において、第１の実施形態乃至第３の実施形態と同様の構成については、これらの形態と同様の符号を付し、詳細な説明を省略する。
【００４８】
図２１、図２２及び図２３は、本願記載の第４の実施形態に係る水耕栽培装置１が備える栽培ポット１２の断面の例を示す概略断面図である。図２１、図２２及び図２３は、苗床１３に固定した栽培ポット１２を中心軸が通る面で切断した正面方向からの視点での断面を示している。第４の実施形態では、第２の実施形態で示したフランジ部１２１より下側に脚部１２４を有する栽培ポット１２に、係止片１２２を設けて、苗床１３上への固定を強固にした栽培ポット１２を例示して説明する。栽培ポット１２は、樹脂等の弾性を有する材料を用いて形成されており、側壁の上端から下方へと延びる切れ目により、図２１に示すように、側壁の上部が外側へ広がるように弾性変形する。即ち、栽培ポット１２の側壁は、苗床１３に固定された状態で上部が拡開可能である。
【００４９】
図２２及び図２３は、樽型の外形に形成した栽培ポット１２に収容した植物Ｐを育成している状態を示しており、図２２に示す状態から植物Ｐが成長し、横方向に広がったとしても、図２３に示すように側壁の上部が外側へ広がるため、植物Ｐの成長を妨げることなく保持することが可能である。
【００５０】
このような形状の栽培ポット１２を用いることにより、例えば、上側に向かって成長するニンジン、ダイコン等の根菜類であっても、自重により倒れることを防止しながら保持することが可能である。従って、本願記載の栽培ポット１２は、根菜類等の植物Ｐの栽培に際し、途中で折れ曲がる等の変形を防止しながら育成することが可能である。また、本願記載の栽培ポット１２は、側壁の上部が拡開可能に弾性変形することにより、成長を必要以上に抑制することなく、好ましい形状に育成することが可能である。更に、栽培ポット１２を透明又は半透明の材料で形成することにより、根菜類の肥大する根の部分を容易に観察することが可能となる。
【００５１】
栽培ポット１２に収容される培地１２０について説明する。図２４は、本願記載の第４の実施形態に係る水耕栽培装置１が備える栽培ポット１２の断面の例を示す概略断面図である。栽培ポット１２に収容される培地１２０は、適度な湿り気を有する程度に培養液Ｌを含み、かつ、空気層をも含む土壌を模した環境とすることが望ましい。従って、例えば、育成する植物Ｐによっては、図２４に示すように栽培ポット１２の内部に培地１２０を柱状に充填することにより、土壌を模した環境を再現するようにしても良い。この場合、柱状に充填する培地１２０の上下方向の長さ（高さ）は、育成する植物Ｐの収穫時における肥大部の理想的な長さよりも若干長いものとすることが好ましい。即ち、培地１２０の高さ及び太さ並びに形状は、育成する植物Ｐの肥大部の大きさ及び形状を好適に育成するために、植物Ｐにとって肥大部が好適な大きさ及び形状に成長するように、植物Ｐの種類に応じて適宜設計される。
【００５２】
図２５は、本願記載の第４の実施形態に係る水耕栽培装置１が備える栽培ポット１２に収容される培地１２０の積層構造の例を示す模式図である。図２５に示すように、栽培ポット１２には、複数種の培地１２０が積層して収容されている。図２５に示すように三層に積層する場合、例えば、下段は、粒子径が小さく吸水性の高い培地１２０とすることが好ましい。中段は、下段より粒子径を大きくして吸水性が低く空気層を多く含む培地１２０とすることが好ましい。そして、上段は、中段より更に粒子径が大きく空気層を多く含む培地１２０とすることが好ましい。そして、このように構成することで、培地１２０による環境を、より本来の土壌環境に近付けることができる。また、培地１２０の色は、下層の培地１２０ほど黒等の暗い色を選択して土壌環境に近付けることが好ましい。なお、培養液Ｌを吸収した培地１２０に光が当たることで、培地１２０にアオコが発生しやすい状況となり得る。そこで、上方から視認可能な上段の培地１２０の表層は、溶液にアオコが発生しても目立ちにくいように緑色等のアオコの色に近い色としても良い。
【００５３】
＜第５の実施形態＞
第５の実施形態は、栽培ポット１２に照明器１２６を設けた形態である。なお、以降の説明において、第１の実施形態乃至第４の実施形態と同様の構成については、これらの形態と同様の符号を付し、詳細な説明を省略する。
【００５４】
図２６は、本願記載の第５の実施形態に係る水耕栽培装置１が備える栽培ポット１２の外観の一例を示す概略斜視図である。図２６は、栽培ポット１２を斜め上方からの視点で示している。図２６に示す栽培ポット１２には、図７等の図を用いて説明した栽培ポット１２の側壁の上端近傍に、ＬＥＤ等の発光素子を用いた複数の照明器１２６が側壁の外周を周回するようにして配設されている。即ち、栽培ポット１２は、光を照射する照明器１２６等の光源を取付可能に形成されている。側壁の上端近傍に外周を周回するように配設された照明器１２６は、栽培ポット１２の外側へ向けて発光し、周囲を照らすことができる。なお、図２６に例示する栽培ポット１２には、外部の電源から照明器１２６に電流を供給するためのＵＳＢ（Universal Serial Bus）コード等の電源コードが配線されている。
【００５５】
図２７は、本願記載の第５の実施形態に係る水耕栽培装置１が備える栽培ポット１２の外観の一例を示す概略斜視図である。図２７は、栽培ポット１２を斜め上方からの視点で示している。図２７に示す栽培ポット１２には、図１０等の図を用いて説明した栽培ポット１２の側壁の上面に複数の照明器１２６が周回するようにして配設されている。側壁の上面を周回するようにして配設された照明器１２６は、栽培ポット１２の上側へ向けて発光し、周囲を照らすことができる。即ち、栽培ポット１２は、光を照射する照明器１２６等の光源を取付可能に形成されている。なお、図２７に例示するように、栽培ポット１２には、釦電池等の電池を収容する直方体状の電源部１２７と、発光する光の強度、色等の要素を調整する押釦等の調整部１２８とが配設されている。
【００５６】
図２８は、本願記載の第５の実施形態に係る水耕栽培装置１が備える栽培ポット１２の外観の一例を示す概略斜視図であり、図２９は、本願記載の第５の実施形態に係る水耕栽培装置１が備える栽培ポット１２の外観の一例を示す概略平面図であり、図３０は、本願記載の第５の実施形態に係る水耕栽培装置１が備える栽培ポット１２の断面の一部の例を示す概略断面図である。図２８、図２９及び図３０に示す栽培ポット１２は、複数のＬＥＤ等の発光素子を用いた照明器１２６を帯状をなす巻着帯１２６ａの長手方向に沿って配設し、巻着帯１２６ａに配設された照明器１２６を、栽培ポット１２に対して取り外し可能とした形態である。図２８（ａ）は、巻着帯１２６ａを取り付けていない状態の栽培ポット１２を斜め下方からの視点で示し、図２８（ｂ）は、巻着帯１２６ａを示している。図２９は、巻着帯１２６ａを取り付けていない状態の栽培ポット１２を示している。図３０は巻着帯１２６ａを取り付けた状態の栽培ポット１２の取付部分近傍の断面を示している。
【００５７】
栽培ポット１２の側壁上部の外周には、巻着帯１２６ａを係合させるべく、鉤状をなす係合部１２ａが等間隔に複数配設されている。また、巻着帯１２６ａの一方の端部には、ＵＳＢコード等の電源コードが取り付けられている。そして、栽培ポット１２の側壁上部の外周を、係合部１２ａに係合させた状態の巻着帯１２６ａにて巻回することにより、巻着帯１２６ａに配設された照明器１２６が栽培ポット１２に取り付けられる。このような形態で実施する場合、栽培ポット１２と巻着帯１２６ａとはそれぞれ個別に販売するようにしても良い。
【００５８】
図３１は、本願記載の第５の実施形態に係る水耕栽培装置１が備える栽培ポット１２の外観の一例を示す概略斜視図であり、図３２は、本願記載の第５の実施形態に係る水耕栽培装置１が備える栽培ポット１２の外観の一例を示す概略平面図であり、図３３は、本願記載の第５の実施形態に係る水耕栽培装置１が備える栽培ポット１２の一部の例を拡大して示す一部拡大図である。図３１、図３２及び図３３に示す栽培ポット１２は、複数のＬＥＤ等の発光素子を用いた照明器１２６を回動板１２９に配設し、更に複数の回動板１２９を栽培ポット１２の上面で回動可能に軸支した形態である。回動板１２９は、長方形の平板状をなしており、平板の一方の面において、長方形の長辺に沿って複数の照明器１２６が配設されている。回動板１２９の両短辺には、回動軸が突設されており、回動軸は栽培ポット１２の上面に設けられた軸受けに挿通し、回動自在に軸支されている。従って、回動板１２９は、栽培ポット１２の上面で回動可能であり、回動板１２９を適宜回動させることにより、光の照射方向を調整することができる。栽培ポット１２の円環状をなす上面には、このように回動自在に軸支された回動板１２９を周方向に沿って複数配設することが可能である。
【００５９】
図３４は、本願記載の第５の実施形態に係る水耕栽培装置１の一例を概略的に示す模式図である。図３４は、照明器１２６が配設された栽培ポット１２を載置した栽培装置の本体容器１０内を正面から示す模式図である。図３４に示すように照明器１２６が配設された栽培ポット１２を用いることにより、背の高い一部の植物Ｐの葉等の部位により上方に配設された照明部１０５から照射される光が当たらなくとも、背の低い植物Ｐに光を照射することが可能となる。このような栽培ポット１２を用いることにより、種類が異なる植物Ｐ、成長速度が異なる植物Ｐ、栽培開始時期が異なる植物Ｐ等の様々な植物Ｐを好みのレイアウトで配置した場合であっても、光の照射不足により成長が阻害されることを防止することが可能である。なお、図３４では、図３１乃至図３３を用いて説明した栽培ポット１２だけでなく、側壁の内周部、側壁の外周及び上面等の様々な部位に照明器１２６を配設した栽培ポット１２を例示している。また、一部の栽培ポット１２は、照射方向が把握できるように一部を破断させて示している。
【００６０】
なお、植物Ｐを収容していない栽培ポット１２を照明器１２６として、栽培装置の苗床１３に載置することも可能であり、植物Ｐを収容する機能を有していない照明器１２６そのものを栽培装置の苗床１３に載置することも可能である。即ち、栽培装置の苗床１３は、光を照射する照明器１２６等の光源を取付可能に形成されている。
【００６１】
＜第６の実施形態＞
第６の実施形態は、培地１２０に、挿入孔１３０の底板１３２又は栽培ポット１２の底板１２５の孔を通り抜けて液槽１１側へ延伸される垂下部１２０ａを有する形態である。なお、以降の説明において、第１の実施形態乃至第５の実施形態と同様の構成については、これらの形態と同様の符号を付し、詳細な説明を省略する。
【００６２】
図３５は、本願記載の第６の実施形態に係る水耕栽培装置１の一部の例を概略的に示す断面図である。図３５は、正面からの視点で水耕栽培装置１の一部の断面を示している。図３５に向かって左側が、第６の実施形態において用いられる培地１２０であり、苗床１３に凹設された挿入孔１３０に培地１２０が挿入された形態を示している。苗床１３に凹設された挿入孔１３０に挿入された培地１２０は、底板１３２の孔を通り抜けて液槽１１側へ延伸される紐状又は棒状の垂下部１２０ａを有している。垂下部１２０ａの先端は、液槽１１内に貯留された培養液Ｌに達しており、培養液Ｌは垂下部１２０ａを通って培地１２０内に吸収される。
【００６３】
図３６は、本願記載の第６の実施形態に係る水耕栽培装置１の一部の例を概略的に示す断面図である。図３６は、正面からの視点で水耕栽培装置１の一部の断面を示している。図３６に向かって左側が、第６の実施形態において用いられる培地１２０であり、底板１２５を有する栽培ポット１２内に培地１２０を収容し、培地１２０は底板１２５上に載置されている。そして、底板１２５上に載置された培地１２０は、底板１２５の孔を通り抜けて液槽１１側へ延伸される紐状又は棒状の垂下部１２０ａを有している。垂下部１２０ａの先端は、液槽１１内に貯留された培養液Ｌに達しており、培養液Ｌは垂下部１２０ａを通って培地１２０内に吸収される。
【００６４】
図３７は、本願記載の第６の実施形態に係る水耕栽培装置１が備える培地１２０及び苗床１３の外観の例を示す模式図であり、図３８は、本願記載の第６の実施形態に係る水耕栽培装置１の一部の例を示す概略平面図である。図３７は、培地１２０及び苗床１３の挿入孔１３０を斜め上方からの視点で示し、培地１２０を挿入孔１３０に挿入する状態を模式的に示している。また、図３８は、苗床１３の挿入孔１３０を上方からの視点で示している。培地１２０は、略円柱状をなし、下側の底面の中心から紐状の垂下部１２０ａが垂れ下がっている。また、上側の底面の中心には窪みが凹設されており、種子、芽等の成長前の植物Ｐを埋設することができる。培地１２０は、水分保持率（保水性）が高いウレタンスポンジ、ロックウール等の材質で形成されている。垂下部１２０ａは、吸水性の高い紐、不織布等の材質で形成されており、液槽１１内の培養液Ｌを吸い上げる。挿入孔１３０の底板１３２には、ヒゲ根を挿通するための多数の細孔が開設されており、中心には垂下部１２０ａを挿通させるべく、細孔より内径が大きい孔が開設されている。
【００６５】
垂下部１２０ａを用いることにより、液槽１１の貯留された培養液Ｌの液面の高さが、ある程度上下しても、植物Ｐに対して培養液Ｌを供給することが可能となる。
【００６６】
以上、様々な実施形態を用いて説明したように、本願記載の水耕栽培装置１は、栽培ポット１２にて保持した植物Ｐが、多孔状をなす底板１２５（底板１３２）の上に位置するように配置する。これにより、栽培ポット１２に保持された植物Ｐが、ヒゲ根等の細い部位のみが底板１２５（底板１３２）を通過して液体に達するように調整することが容易である。特に、根の肥大する部分は、培養液Ｌに直接接触することがなく、空気層が形成されたなかで栽培することができるので、根菜類等の種類の植物Ｐにとって、好ましい育成環境を形成することが可能である。しかも、栽培ポット１２は、上側に向かって成長するニンジン、ダイコン等の根菜類であっても、自重により倒れることを防止しながら保持することが可能である。更に、透明性を有する材質の栽培ポット１２を採用することにより、肥大する根の部分を容易に観察することが可能となる。また、様々な品種に応じた様々な種類の栽培ポット１２を任意の挿入孔１３０に配置することが可能である。更に、例えば、横に根を張る性質を有するキュウリ等の品種を栽培する場合であっても、培養液Ｌ側に栽培ポット１２を配置する必要が無いので、培養液Ｌ側で内径が大きい栽培ポット１２を用いる必要が無く、このため、複数品種を共存させる場合に配置の自由度が必要以上に制限されることがない。更に、苗床１３を階段状にする等、載置面の高さを適宜変えることにより、様々なレイアウトを実現することが可能である。なお、培養液Ｌを吸収した培地１２０に光が当たった場合、培地１２０にアオコが発生しやすい状況となるが、苗床１３の上に配置した栽培ポット１２は、観察者から培地１２０の上面を観察しにくい位置に配置しやすいため、アオコを目立たなくさせることが可能である。更に、培地１２０から垂下する垂下部１２０ａを設けることにより、培養液Ｌの液面の高さの許容範囲が拡大するため、液面の調整が容易になる。
【００６７】
本発明は、以上説明した実施形態に限定されるものではなく、他のいろいろな形態で実施することが可能である。そのため、上述した実施形態はあらゆる点で単なる例示にすぎず、限定的に解釈してはならない。本発明の範囲は請求の範囲によって示すものであって、明細書本文には、なんら拘束されない。更に、請求の範囲の均等範囲に属する変形及び変更は、全て本発明の範囲内のものである。
【００６８】
例えば、栽培ポット１２の材質としては、様々な材料を用いて形成することが可能であり、使い捨て可能な紙製の栽培ポット１２を形成する等、様々な形態に展開することが可能である。
【００６９】
また、第１の実施形態から第６の実施形態は、必ずしもそれぞれ独立して実施する必要は無く、適宜、組み合わせて実施することが可能である。
【符号の説明】
【００７０】
１          水耕栽培装置
１０        本体容器
１１        液槽
１２        栽培ポット（保持体）
１２０      培地
１２０ａ    垂下部
１２１      フランジ部
１２２      係止片
１２３      保持部
１２４      脚部
１２５      底板
１２６      照明器（光源）
１２９      回動板
１３        苗床（支持部材）
１３０      挿入孔
１３１      係止部
１３２      底板
Ｌ        培養液
Ｐ        植物
【図１】
2017108723.tif 000003
【図２】
2017108723.tif 000004
【図３】
2017108723.tif 000005
【図４】
2017108723.tif 000006
【図５】
2017108723.tif 000007
【図６】
2017108723.tif 000008
【図７】
2017108723.tif 000009
【図８】
2017108723.tif 000010
【図９】
2017108723.tif 000011
【図１０】
2017108723.tif 000012
【図１１】
2017108723.tif 000013
【図１２】
2017108723.tif 000014
【図１３】
2017108723.tif 000015
【図１４】
2017108723.tif 000016
【図１５】
2017108723.tif 000017
【図１６】
2017108723.tif 000018
【図１７】
2017108723.tif 000019
【図１８】
2017108723.tif 000020
【図１９】
2017108723.tif 000021
【図２０】
2017108723.tif 000022
【図２１】
2017108723.tif 000023
【図２２】
2017108723.tif 000024
【図２３】
2017108723.tif 000025
【図２４】
2017108723.tif 000026
【図２５】
2017108723.tif 000027
【図２６】
2017108723.tif 000028
【図２７】
2017108723.tif 000029
【図２８】
2017108723.tif 000030
【図２９】
2017108723.tif 000031
【図３０】
2017108723.tif 000032
【図３１】
2017108723.tif 000033
【図３２】
2017108723.tif 000034
【図３３】
2017108723.tif 000035
【図３４】
2017108723.tif 000036
【図３５】
2017108723.tif 000037
【図３６】
2017108723.tif 000038
【図３７】
2017108723.tif 000039
【図３８】
2017108723.tif 000040